(57)【要約】【課題】  設置後の送風機のメンテナンス作業を簡単に行う。ハウジング外への凝縮水の洩れを防止する。【解決手段】  内部に排気通路および給気通路が設けられかつ各通路内に送風機4A、4Bが配置された第１ハウジング５を備えた有換気兼熱交換装置１である。第１ハウジング５を、互いに着脱自在に固定された上下構成部材5A、5Bにより形成する。第１ハウジング５の周壁に、排気通路内に通じる開口と、給気通路内に通じる開口とを上下構成部材5A、5Bに跨るように形成する。第１ハウジング５の周壁外面における各開口の周縁部に、ダクト接続部材25を取り付ける。ダクト接続部材25の一端部に外向きフランジ25aを設ける。下構成部材5Bの周壁外面における各開口の下方部分に、上方に開口した嵌入溝29を形成する。外向きフランジ25aの上部を上構成部材5Aの周壁に固定し、同下部を嵌入溝29に嵌め入れる。【選択図】      図１
2005003345.tif 000002
【特許請求の範囲】
【請求項１】
内部に２つの空気通路が設けられかつ各空気通路内に送風機が配置された第１ハウジングを有する送風ユニットと、内部に２つの空気通路が設けられるとともに両空気通路に跨るように熱交換部が配置された第２ハウジングを有する熱交換ユニットとが、２つの空気通路どうしが通じるように接続されており、送風ユニットの第１ハウジングが、互いに着脱自在に固定された上下構成部材により形成され、第１ハウジングの周壁に、一方の空気通路内に通じる第１の開口と、他方の空気通路内に通じる第２の開口とが上下構成部材に跨るように形成され、第１ハウジングの周壁外面における各開口の周縁部に、筒状のダクト接続部材の一端開口周縁部が取り付けられ、各ダクト接続部材の第１ハウジングへの取付側端部に外向きフランジが設けられ、第１ハウジングの下構成部材の周壁外面における各開口の下方部分に、上方に開口しかつダクト接続部材の外向きフランジの下部が嵌め入れられる嵌入溝が形成され、ダクト接続部材の外向きフランジの上部が第１ハウジングの上構成部材の周壁に固定されるとともに、同下部が嵌入溝に嵌め入れられている換気兼熱交換装置。
【請求項２】
嵌入溝およびダクト接続部材の外向きフランジの下部が、それぞれ中央部が下方に突出した円弧状であり、送風ユニットの第１ハウジングの周壁に、嵌入溝と第１ハウジング内とを通じさせる凝縮水通路が形成されている請求項１記載の換気兼熱交換装置。
【請求項３】
ダクト接続部材の外向きフランジの上部が上構成部材の周壁にねじ止めされ、送風ユニットの第１ハウジングの周壁に、各空気通路内に通じる少なくとも１つの予備開口が、上下構成部材に跨るように形成され、すべての予備開口が、それぞれ第１ハウジングの周壁外面に取り付けられた閉鎖部材により閉鎖され、閉鎖部材の下部がダクト接続部材の下部と同形、同大となされ、第１ハウジングの下構成部材外面における各予備開口の下方部分に、上方に開口しかつ閉鎖部材の下部およびダクト接続部材の外向きフランジの下部が嵌め入れられる嵌入溝が形成され、閉鎖部材の上部が第１ハウジングの上構成部材の周壁にねじ止めされるとともに、同下部が嵌入溝に嵌め入れられている請求項１または２記載の換気兼熱交換装置。
【請求項４】
嵌入溝および閉鎖部材の下部が、それぞれ中央部が下方に突出した円弧状であり、送風ユニットの第１ハウジングの周壁に、嵌入溝と第１ハウジング内とを通じさせる凝縮水通路が形成されている請求項３記載の換気兼熱交換装置。
【請求項５】
第１ハウジングの下構成部材の周壁外面における開口および予備開口よりも下方の部分に取付部材が固定され、取付部材が、外方突出状に設けられた受け部と、受け部の外縁に立ち上がり状に設けられた係合部とを有しており、ダクト接続部材の外向きフランジの下部および閉鎖部材の下部が嵌め入れられる嵌入溝が、取付部材の受け部および係合部と下構成部材の周壁外面とによって形成されている請求項３または４記載の換気兼熱交換装置。
【請求項６】
送風ユニットの２つの空気通路内に配置された各送風機が、それぞれ羽根車と、羽根車を覆いかつ吐出口および吸込口を有するケーシングとを備えており、一方の空気通路内に配置された送風機のケーシングの吐出口が熱交換ユニットの熱交換部に向けられ、他方の空気通路内に配置された送風機のケーシングが、第１ハウジングの外部からの操作により、吐出口の向きが当該空気通路に通じる開口およびすべての予備開口のうちいずれか１つに合致した位置および他の１つに合致した位置の間で切り替え得るように可動式となされ、可動式ケーシングの吐出口が、ダクト接続部材が取り付けられた開口に合致させられており、可動式ケーシングを有する送風機の羽根車の回転により空気通路内に吸い込まれて熱交換部を通過した空気が吸込口からケーシング内に入りかつ吐出口から開口およびダクト接続部材に向かって吐出されるとともに、吐出口が熱交換部を向いた送風機の羽根車の回転によりダクト接続部材および開口を通して空気通路内に吸い込まれた空気が吸込口からケーシング内に入りかつ吐出口から熱交換部に向かって吐出されるようになされている請求項３〜５のうちのいずれかに記載の換気兼熱交換装置。
【請求項７】
送風ユニットの各送風機のケーシングが、羽根車の周囲を覆いかつ一側部に吐出口があけられた周壁および羽根車の上方を覆いかつ中央部に吸込口があけられた頂壁を有し、可動式ケーシングが垂直軸線周りに回動可能となされており、送風ユニットの第１ハウジングの上壁における可動式ケーシングを有する送風機の上方部分に貫通穴があけられ、貫通穴を閉鎖しうるプレートが第１ハウジングの上壁に回動自在に支持され、プレートと可動式ケーシングとが連結手段によって着脱自在に連結され、プレートを回動させることにより、可動式ケーシングが、吐出口の向きを変更し得るように回動させられる請求項６記載の換気兼熱交換装置。
【請求項８】
送風ユニットの第１ハウジングの上壁にあけられた貫通穴およびプレートがそれぞれ円形であり、プレートが下側径小部および上側径大部を有しており、プレートの径小部が貫通穴に回動自在に嵌め込まれるとともに、径大部の外方突出部分が貫通穴の周縁部に受けられている請求項７記載の換気兼熱交換装置。
【請求項９】
プレートにおける径大部の外方突出部分の下面に１つの突起が形成され、第１ハウジングの上壁における貫通穴の周縁部に、可動式ケーシングの吐出口の向きが開口およびすべての予備開口のそれぞれに合うプレート回動位置において、突起が嵌合しうる切り欠きが形成されている請求項８記載の換気兼熱交換装置。
【請求項１０】
プレートの上面に、可動式ケーシングにおける吐出口の向きを示す表示が設けられている請求項７〜９のうちのいずれかに記載の換気兼熱交換装置。
【請求項１１】
プレートの上面に回動用摘み部が形成されている請求項７〜１０のうちのいずれかに記載の換気兼熱交換装置。
【請求項１２】
連結手段が、プレートに設けられた連結用垂下部と、可動式ケーシングに設けられかつ垂下部が嵌め入れられる上方開口穴を有する連結用立上り部とよりなる請求項７〜１１のうちのいずれかに記載の換気兼熱交換装置。
【請求項１３】
可動式ケーシングの吐出口が、周壁の一部分を切り欠くことにより形成され、連結用立上り部が、吐出口全体を含むように吐出口の周方向の片側から同他側にかけて形成され、可動式ケーシングの周壁における吐出口を含む部分の外周面および連結用立上り部の外面が、それぞれ可動式ケーシングの回動中心軸線と中心とする凸状の部分円筒面となされ、第１ハウジングの内部に、第１ハウジングにおける可動式ケーシングの周囲の部分に、空気通路との連絡部分と、開口およびすべての予備開口との連絡部分を避けて、可動式ケーシングの部分円筒面に合致するケーシング回動案内兼空気バイパス防止用凹状部分円筒面が形成されており、可動式式ケーシングを回動させる際、ケーシング回動案内兼空気バイパス防止用凹状部分円筒面によってケーシングが案内され、吐出口の向きをダクト接続部材が取り付けられた開口に合わせた際、周壁外面の吐出口両側縁部および立上り部外面がケーシング回動案内兼空気バイパス防止用凹状部分円筒面に重ねられることにより、空気が可動式式ケーシングの外を通ってダクト接続部材に流れ込むのを防止するようになされている請求項６〜１２のうちのいずれかに記載の換気兼熱交換装置。
【請求項１４】
送風ユニットにおける第１ハウジングの一方の空気通路およびこの空気通路に通じる熱交換ユニットにおける第２ハウジングの一方の空気通路がそれぞれ排気通路となされるとともに、送風ユニットおよび熱交換ユニットの他方の空気通路がそれぞれ給気通路となされ、第２ハウジングの周壁にそれぞれ両通路に通じる開口が形成され、第２ハウジングの給気通路内に、開口から吸い込まれる外気の温度に応じて第１ハウジングの給気通路内の送風機をオン、オフするスイッチ内蔵温度センサが配置され、第１ハウジングの下構成部材に、電源に接続される接続端子が配置され、スイッチ内蔵温度センサからの配線と、接続端子からの配線がコネクタを介して着脱自在に接続されている請求項１〜１３のうちのいずれかに記載の換気兼熱交換装置。
【請求項１５】
熱交換ユニットの第２ハウジングの内面にスイッチ内蔵温度センサからの配線を嵌め入れる配線嵌入溝が形成され、送風ユニットにおける第１ハウジングの内面に接続端子からの配線を嵌め入れる配線嵌入溝が形成されている請求項１４記載の換気兼熱交換装置。
【請求項１６】
スイッチ内蔵温度センサからの配線および接続端子からの配線のうち少なくともいずれか一方の長さに遊びが設けられている請求項１４または１５記載の換気兼熱交換装置。
【請求項１７】
熱交換部が、複数のヒートパイプからなる請求項１〜１６のうちのいずれかに記載の換気兼熱交換装置。
【請求項１８】
請求項１〜１７のうちのいずれかに記載の換気兼熱交換装置が家屋の屋根裏に設置され、ダクト接続部材に接続されたダクトを通じて、高温の室内空気を排気として屋外へ排出するとともに、低温の屋外空気を給気として室内に供給し、熱交換部を介して室内空気の熱を屋外空気に与えて熱回収を行うようになされている空調システム。
【請求項１９】
室内空気を吸い込むためのダクトの排気吸込口がトイレおよび浴室のうち少なくとも一方に設けられ、屋外空気を室内に吹き出すダクトの給気吹出口が押し入れに設けられている請求項１８記載の空調システム。
【発明の詳細な説明】
【技術分野】
【０００１】
この発明は、換気兼熱交換装置および空調システムに関する。
【０００２】
この明細書および特許請求の範囲において、図１の上下を上下というものとする。
【背景技術】
【０００３】
たとえば、寒冷地の家屋に設置され、かつ屋内の暖かい空気を排出するとともに屋外から冷たい空気を取り入れて排気と給気との間で熱交換を行う換気兼熱交換装置として、内部に排気通路および給気通路が設けられかつ各通路内に送風機が配置された第１ハウジングを有する送風ユニットと、内部に排気通路および給気通路が設けられるとともに両通路に跨るように、複数のヒートパイプからなる熱交換部が配置された第２ハウジングを有する熱交換ユニットとが、排気通路どうしおよび給気通路どうしが通じるように接続されており、両ユニットのハウジングが、それぞれ互いに着脱自在に固定された上下構成部材により形成され、第１ハウジングの周壁に、排気通路内に通じる排気用開口と、給気通路内に通じる給気用開口とが上下構成部材に跨るように形成され、第２ハウジングの周壁に、排気通路内に通じる排気用開口と、給気通路内に通じる給気用開口とが上下構成部材に跨るように形成され、第１および第２ハウジングの周壁外面における各開口の周縁部に、それぞれ筒状のダクト接続部材の一端開口周縁部が取り付けられ、各ダクト接続部材の第１ハウジングへの取付側端部に外向きフランジが設けられ、第１および第２ハウジングの周壁における各開口の内周面に、各ダクト接続部材の外向きフランジが嵌め入れられる嵌入溝が形成され、外向きフランジが嵌入溝に嵌め入れられた状態で各ダクト接続部材が上下構成部材により挟まれたものが知られている（たとえば、特許文献１参照）。
【０００４】
また、寒冷地の家屋に設置され、かつ屋内の暖かい空気を排出するとともに屋外から冷たい空気を取り入れて排気と給気との間で熱交換を行う換気兼熱交換装置として、直方体状のハウジング内に熱交換器が組み込まれ、同じくハウジング内に、給気用送風機および排気用送風機が、各吹出側をハウジングの対角線上の２つの隅部に向かうように組み込まれ、ハウジング内に熱交換器の一方の熱交換通路を介して連続する一次気流である排気流を流す一次流路と、熱交換器の他方の熱交換通路を介して連続する二次気流である給気流を流す二次流路とが形成され、ハウジングにおける排気用送風機の吹出側が臨む１つの隅部を形成する２つの側面に、それぞれ一次流路の出口端となる室外吹出口が形成されるとともに、当該隅部と同一対角線上に位置しかつ給気用送風機の吹出側が臨む１つの隅部を形成する２つの側面に、それぞれ二次流路の出口端となる室内吹出口が形成され、ハウジングの他の対角線上に位置する一方の隅部を形成する２つの側面に、それぞれ一次流路の入口端となる室内吸込口が形成されるとともに、当該隅部と同一対角線上に位置する隅部を形成する２つの側面に、それぞれ二次流路の入口端となる室外吸込口が形成され、両室外吹出口、両室内吹出口、両室内吸込口および両室外吸込口のうちのそれぞれ一方の周縁部にダクト接続部材がねじ止めされるとともに他方に閉鎖板がねじ止めされているものが知られている（たとえば、特許文献２参照）。
【０００５】
ところで、特許文献１および２記載の換気兼熱交換装置が家屋へ設置された場合、各ダクト接続部材にダクトが接続され、ダクト接続部材およびダクトの周囲が断熱材により被覆される。
【０００６】
そして、特許文献１記載の換気兼熱交換装置の場合、家屋への設置後に送風機のメンテナンスを行うには、送風ユニットの第１ハウジングを構成する下構成部材を取り外す必要があるが、下構成部材を取り外すと、送風ユニットの第１ハウジングに取り付けられている２つのダクト構成部材における外向きフランジの上側部分が、第１ハウジングの嵌入溝から脱落し、メンテナンス後下構成部材を取り付ける作業が面倒になる。
【０００７】
特許文献２記載の換気兼熱交換装置の場合、ハウジングは全体が一体に形成されているので、家屋への設置後は送風機のメンテナンスを行うことができない。家屋への設置後に送風機のメンテナンスを行うには、ハウジングを、特許文献１に記載された装置のように互いに着脱自在に固定された上下構成部材によって形成し、下構成部材を取り外すようにすればよいが、この場合、ダクト構成部材の外向きフランジが上下構成部材にねじ止めされることになるので、次のような問題がある。すなわち、下構成部材を取り外すには、ダクト構成部材の外向きフランジを下構成部材に止めているねじを外す必要があるが、各ダクト接続部材にダクトが接続され、ダクト接続部材およびダクトの周囲が断熱材により被覆されているので、実際には不可能である。しかも、室内からの排気が換気兼熱交換装置のハウジングに流入する前に凝縮水が発生した場合、ダクト接続部材の外向きフランジとハウジングの周壁外面との間からハウジング外に漏れ、天井裏等を汚すという問題がある。
【特許文献１】特開平９−１７８２３９号公報（特許請求の範囲、段落００２０〜００２６）
【特許文献２】特開平９−３１０８９９号公報（段落００２０〜００２２）
【発明の開示】
【発明が解決しようとする課題】
【０００８】
この発明の目的は、上記問題を解決し、設置後の送風機のメンテナンス作業を簡単に行うことができるとともに、ハウジング外への凝縮水の洩れを防止することができる換気兼熱交換装置および空調システムを提供することにある。
【課題を解決するための手段】
【０００９】
本発明は、上記課題を解決するために以下の態様からなる。
【００１０】
1)内部に２つの空気通路が設けられかつ各空気通路内に送風機が配置された第１ハウジングを有する送風ユニットと、内部に２つの空気通路が設けられるとともに両空気通路に跨るように熱交換部が配置された第２ハウジングを有する熱交換ユニットとが、２つの空気通路どうしが通じるように接続されており、送風ユニットの第１ハウジングが、互いに着脱自在に固定された上下構成部材により形成され、第１ハウジングの周壁に、一方の空気通路内に通じる第１の開口と、他方の空気通路内に通じる第２の開口とが上下構成部材に跨るように形成され、第１ハウジングの周壁外面における各開口の周縁部に、筒状のダクト接続部材の一端開口周縁部が取り付けられ、各ダクト接続部材の第１ハウジングへの取付側端部に外向きフランジが設けられ、第１ハウジングの下構成部材の周壁外面における各開口の下方部分に、上方に開口しかつダクト接続部材の外向きフランジの下部が嵌め入れられる嵌入溝が形成され、ダクト接続部材の外向きフランジの上部が第１ハウジングの上構成部材の周壁に固定されるとともに、同下部が嵌入溝に嵌め入れられている換気兼熱交換装置。
【００１１】
2)嵌入溝およびダクト接続部材の外向きフランジの下部が、それぞれ中央部が下方に突出した円弧状であり、送風ユニットの第１ハウジングの周壁に、嵌入溝と第１ハウジング内とを通じさせる凝縮水通路が形成されている上記1)記載の換気兼熱交換装置。
【００１２】
3)ダクト接続部材の外向きフランジの上部が上構成部材の周壁にねじ止めされ、送風ユニットの第１ハウジングの周壁に、各空気通路内に通じる少なくとも１つの予備開口が、上下構成部材に跨るように形成され、すべての予備開口が、それぞれ第１ハウジングの周壁外面に取り付けられた閉鎖部材により閉鎖され、閉鎖部材の下部がダクト接続部材の下部と同形、同大となされ、第１ハウジングの下構成部材外面における各予備開口の下方部分に、上方に開口しかつ閉鎖部材の下部およびダクト接続部材の外向きフランジの下部が嵌め入れられる嵌入溝が形成され、閉鎖部材の上部が第１ハウジングの上構成部材の周壁にねじ止めされるとともに、同下部が嵌入溝に嵌め入れられている上記1)または2)記載の換気兼熱交換装置。
【００１３】
4)嵌入溝および閉鎖部材の下部が、それぞれ中央部が下方に突出した円弧状であり、送風ユニットの第１ハウジングの周壁に、嵌入溝と第１ハウジング内とを通じさせる凝縮水通路が形成されている上記3)記載の換気兼熱交換装置。
【００１４】
5)第１ハウジングの下構成部材の周壁外面における開口および予備開口よりも下方の部分に取付部材が固定され、取付部材が、外方突出状に設けられた受け部と、受け部の外縁に立ち上がり状に設けられた係合部とを有しており、ダクト接続部材の外向きフランジの下部および閉鎖部材の下部が嵌め入れられる嵌入溝が、取付部材の受け部および係合部と下構成部材の周壁外面とによって形成されている上記3)または4)記載の換気兼熱交換装置。
【００１５】
6)送風ユニットの２つの空気通路内に配置された各送風機が、それぞれ羽根車と、羽根車を覆いかつ吐出口および吸込口を有するケーシングとを備えており、一方の空気通路内に配置された送風機のケーシングの吐出口が熱交換ユニットの熱交換部に向けられ、他方の空気通路内に配置された送風機のケーシングが、第１ハウジングの外部からの操作により、吐出口の向きが当該空気通路に通じる開口およびすべての予備開口のうちいずれか１つに合致した位置および他の１つに合致した位置の間で切り替え得るように可動式となされ、可動式ケーシングの吐出口が、ダクト接続部材が取り付けられた開口に合致させられており、可動式ケーシングを有する送風機の羽根車の回転により空気通路内に吸い込まれて熱交換部を通過した空気が吸込口からケーシング内に入りかつ吐出口から開口およびダクト接続部材に向かって吐出されるとともに、吐出口が熱交換部を向いた送風機の羽根車の回転によりダクト接続部材および開口を通して空気通路内に吸い込まれた空気が吸込口からケーシング内に入りかつ吐出口から熱交換部に向かって吐出されるようになされている上記3)〜5)のうちのいずれかに記載の換気兼熱交換装置。
【００１６】
7)送風ユニットの各送風機のケーシングが、羽根車の周囲を覆いかつ一側部に吐出口があけられた周壁および羽根車の上方を覆いかつ中央部に吸込口があけられた頂壁を有し、可動式ケーシングが垂直軸線周りに回動可能となされており、送風ユニットの第１ハウジングの上壁における可動式ケーシングを有する送風機の上方部分に貫通穴があけられ、貫通穴を閉鎖しうるプレートが第１ハウジングの上壁に回動自在に支持され、プレートと可動式ケーシングとが連結手段によって着脱自在に連結され、プレートを回動させることにより、可動式ケーシングが、吐出口の向きを変更し得るように回動させられる上記6)記載の換気兼熱交換装置。
【００１７】
8)送風ユニットの第１ハウジングの上壁にあけられた貫通穴およびプレートがそれぞれ円形であり、プレートが下側径小部および上側径大部を有しており、プレートの径小部が貫通穴に回動自在に嵌め込まれるとともに、径大部の外方突出部分が貫通穴の周縁部に受けられている上記7)記載の換気兼熱交換装置。
【００１８】
9)プレートにおける径大部の外方突出部分の下面に１つの突起が形成され、第１ハウジングの上壁における貫通穴の周縁部に、可動式ケーシングの吐出口の向きが開口およびすべての予備開口のそれぞれに合うプレート回動位置において、突起が嵌合しうる切り欠きが形成されている上記8)記載の換気兼熱交換装置。
【００１９】
10)プレートの上面に、可動式ケーシングにおける吐出口の向きを示す表示が設けられている上記7)〜9)のうちのいずれかに記載の換気兼熱交換装置。
【００２０】
11)プレートの上面に回動用摘み部が形成されている上記7)〜10)のうちのいずれかに記載の換気兼熱交換装置。
【００２１】
12)連結手段が、プレートに設けられた連結用垂下部と、可動式ケーシングに設けられかつ垂下部が嵌め入れられる上方開口穴を有する連結用立上り部とよりなる上記7)〜11)のうちのいずれかに記載の換気兼熱交換装置。
【００２２】
13)可動式ケーシングの吐出口が、周壁の一部分を切り欠くことにより形成され、連結用立上り部が、吐出口全体を含むように吐出口の周方向の片側から同他側にかけて形成され、可動式ケーシングの周壁における吐出口を含む部分の外周面および連結用立上り部の外面が、それぞれ可動式ケーシングの回動中心軸線と中心とする凸状の部分円筒面となされ、第１ハウジングの内部に、第１ハウジングにおける可動式ケーシングの周囲の部分に、空気通路との連絡部分と、開口およびすべての予備開口との連絡部分を避けて、可動式ケーシングの部分円筒面に合致するケーシング回動案内兼空気バイパス防止用凹状部分円筒面が形成されており、可動式式ケーシングを回動させる際、ケーシング回動案内兼空気バイパス防止用凹状部分円筒面によってケーシングが案内され、吐出口の向きをダクト接続部材が取り付けられた開口に合わせた際、周壁外面の吐出口両側縁部および立上り部外面がケーシング回動案内兼空気バイパス防止用凹状部分円筒面に重ねられることにより、空気が可動式式ケーシングの外を通ってダクト接続部材に流れ込むのを防止するようになされている上記6)〜12)のうちのいずれかに記載の換気兼熱交換装置。
【００２３】
14)送風ユニットにおける第１ハウジングの一方の空気通路およびこの空気通路に通じる熱交換ユニットにおける第２ハウジングの一方の空気通路がそれぞれ排気通路となされるとともに、送風ユニットおよび熱交換ユニットの他方の空気通路がそれぞれ給気通路となされ、第２ハウジングの周壁にそれぞれ両通路に通じる開口が形成され、第２ハウジングの給気通路内に、開口から吸い込まれる外気の温度に応じて第１ハウジングの給気通路内の送風機をオン、オフするスイッチ内蔵温度センサが配置され、第１ハウジングの下構成部材に、電源に接続される接続端子が配置され、スイッチ内蔵温度センサからの配線と、接続端子からの配線がコネクタを介して着脱自在に接続されている上記1)〜13)のうちのいずれかに記載の換気兼熱交換装置。
【００２４】
15)熱交換ユニットの第２ハウジングの内面にスイッチ内蔵温度センサからの配線を嵌め入れる配線嵌入溝が形成され、送風ユニットにおける第１ハウジングの内面に接続端子からの配線を嵌め入れる配線嵌入溝が形成されている上記14)記載の換気兼熱交換装置。
【００２５】
16)スイッチ内蔵温度センサからの配線および接続端子からの配線のうち少なくともいずれか一方の長さに遊びが設けられている上記14)または15)記載の換気兼熱交換装置。
【００２６】
17)熱交換部が、複数のヒートパイプからなる上記1)〜16)のうちのいずれかに記載の換気兼熱交換装置。
【００２７】
18)上記1)〜17)のうちのいずれかに記載の換気兼熱交換装置が家屋の屋根裏に設置され、ダクト接続部材に接続されたダクトを通じて、高温の室内空気を排気として屋外へ排出し、低温の屋外空気を給気として室内に供給するとともに、熱交換部を介して室内空気の熱を屋外空気に与えて熱回収を行うようになされている空調システム。
【００２８】
19)室内空気を吸い込むためのダクトの排気吸込口がトイレおよび浴室のうち少なくとも一方に設けられ、屋外空気を室内に吹き出すダクトの給気吹出口が押し入れに設けられている上記18)記載の空調システム。
【発明の効果】
【００２９】
上記1)の換気兼熱交換装置によれば、送風機のメンテナンスを行う場合、第１ハウジングの上下構成部材の固定を解除し、下構成部材を下方に降ろすことにより、下構成部材を簡単に取り外すことができる。このとき、ダクト接続部材の外向きフランジの下部が嵌入溝から抜け、下構成部材の取り外しはスムーズに行われる。また、ダクト接続部材の外向きフランジの上部は上構成部材に固定されており、所定の位置に保持されたままであるので、送風機のメンテナンスが終了した後には、下構成部材を下方から持ち上げて、ダクト接続部材の外向きフランジの下部を嵌入溝内に嵌め入れ、ついで上下構成部材を固定するだけで、簡単に元の状態に戻すことができる。
【００３０】
上記2)の換気兼熱交換装置によれば、室内からの排気が第１ハウジング内に流入する前に凝縮水が発生した場合、凝縮水は、ダクト接続部材の内面および外向きフランジを伝って嵌入溝内に入り、嵌入溝内をその最下部側に流れ、さらに凝縮水通路を通って第１ハウジング内に流れ込むので、凝縮水が第１ハウジングの外部に漏れることはなく、その結果換気兼熱交換装置が設置された天井裏等を汚すおそれがない。
【００３１】
上記3)の換気兼熱交換装置によれば、設置箇所周辺の状況に合わせて、第１ハウジングにおける各空気通路に通じる開口およびすべての予備開口のうちから適当な１つの開口を選択して、当該開口の周縁部にダクト接続部材を取り付け、残りの開口を閉鎖部材で閉鎖することができる。ここで、閉鎖部材の第１ハウジングへの取付も、上記1)の換気兼熱交換装置のダクト接続部材と同様に行うことができる。そして、ダクト接続部材に接続されるダクトを、配管方向に障害物等の不具合が生じない開口に選択的に接続することができる。
【００３２】
上記4)の換気兼熱交換装置によれば、第１ハウジングにおける室内からの排気が流れる空気通路内に通じる開口およびすべての予備開口のうちのいずれを選択してダクト接続部材を取り付けたとしても、上記2)の場合と同様な効果を奏する。
【００３３】
上記5)の換気兼熱交換装置によれば、下構成部材が、たとえば発泡プラスチック等の材料で形成されている場合であっても、ダクト接続部材の外向きフランジおよび閉鎖部材を強固に嵌め入れることのできる嵌入溝を、簡単に形成することができる。
【００３４】
上記6)の換気兼熱交換装置によれば、可動式ケーシングの吐出口の向きを、ダクト接続部材が取り付けられた開口に合わせる操作を、第１ハウジングの外から行うことができるので、簡単な操作ですむ。そして、可動式ケーシングにおける吐出口の向きの切替を施工現場で極めて簡単に行うことができるので、施工性に優れている。
【００３５】
上記7)および8)の換気兼熱交換装置によれば、送風機の可動式ケーシングの吐出口の向きを、ダクト接続部材が取り付けられた開口に合わせる操作が、第１ハウジングの外からプレートを回動させるだけの簡単な操作ですむ。
【００３６】
上記9)の換気兼熱交換装置によれば、送風機の可動式ケーシングを、その吐出口の向きがダクト接続部材が取り付けられた開口に合う回動位置で固定しておくことができる。
【００３７】
上記10)の換気兼熱交換装置によれば、施工業者等が送風機の可動式ケーシングの吐出口の向きを第１ハウジングの外から簡単に把握することができるので、施工作業が容易となる。
【００３８】
上記11)の換気兼熱交換装置によれば、プレートの回動がやり易く、操作性が向上する。
【００３９】
上記12)の換気兼熱交換装置によれば、プレートを、その垂下部が送風機の可動式ケーシングにおける立上り部の上方開口穴に嵌め込むだけで、プレートと可動式ケーシングとを連結することができるので、余分な部品を必要とせず、連結作業も簡単である。しかも、上記の連結手段によれば、第１ハウジングの上壁と可動式ケーシングの頂壁との間に、吸込口へ向かう給気を流通させるのに十分なスペースを確保することができる。
【００４０】
上記13)の換気兼熱交換装置によれば、第１ハウジング内の限られたスペースで、可動式ケーシングをスムーズに回動させることができ、ひいてはプレートの回動による吐出口の向きの切替をスムーズに行い得る。
【００４１】
上記14)の換気兼熱交換装置によれば、外気温の変化に合わせて、給気および排気を行う第１種換気と排気のみを行う第３種換気との運転切換を自動的に行うことができる。しかも、送風機のメンテナンスのために第１ハウジングの上下構成部材の固定を解除して下構成部材を下方に降ろして取り外す際には、スイッチ内蔵温度センサからの配線と接続端子からの配線とのコネクタどうしの接続を解除することにより、下構成部材の取り外しを支障なく行うことができる。また、メンテナンス終了後下構成部材を上構成部材に取り付ける際に、コネクタにより上記２つの配線を接続することができる。
【００４２】
通常、この種の換気兼熱交換装置においては、冬期などの外気温が低い場合には、第１種換気を行って排出される屋内の暖かい空気と取り入れられる屋外の冷たい空気との間で熱交換を行い、一方夏期などの外気温が高い場合には、第３種換気を行って屋内の空気のみを排出し、熱交換は行わないようになっている。たとえば、特許文献１記載の換気兼熱交換装置においては、特許文献１には記載されていないものの、送風ユニットの第１ハウジングに、給気用の送風機をオン、オフする手動式のスイッチが設けられている。しかしながら、この換気兼熱交換装置は通常家屋などの天井裏に設置されるため、第１種換気および第３種換気の運転切換を行うには、天井の点検口を開けて手動式スイッチを操作しなければならず、その作業が非常に面倒である。また、室内において第１種換気および第３種換気の運転切換を行うことができるようにするには、配線作業が面倒である。
【００４３】
これに対し、上記14)の換気兼熱交換装置によれば、このような面倒な作業を行う必要がなくなる。
【００４４】
上記15)の換気兼熱交換装置によれば、配線がハウジングに内蔵されている他の部品に干渉するのを防止することができる。
【００４５】
上記16)の換気兼熱交換装置によれば、第１ハウジングの下構成部材の脱着を行う場合のコネクタの脱着の際の作業が容易になる。
【発明を実施するための最良の形態】
【００４６】
以下、この発明の実施形態を、図面を参照して説明する。なお、以下の説明において、図２の左側を前、右側を後といい、同図の上側を左、下側を右というものとする。
【００４７】
図１および図２はこの発明による換気兼熱交換装置の全体構成を示し、図３〜図９はその要部の構成を示す。
【００４８】
図１および図２において、換気兼熱交換装置(1)は、内部に前後方向に伸びる排気通路(2)および給気通路(3)が設けられかつ各通路(2)(3)内に送風機(4A)(4B)が配置された第１ハウジング(5)を有する送風ユニット(1A)と、内部に前後方向に伸びる排気通路(6)および給気通路(7)が設けられるとともに両通路(6)(7)に跨るように熱交換部(8)が配置された第２ハウジング(9)を有する熱交換ユニット(1B)とが、排気通路(2)(6)どうしおよび給気通路(3)(7)どうしが通じかつ送風ユニット(1A)が後側に来るようにように、接続部材(11)を介して接続されている。接続部材(11)は、第１ハウジング(5)の前壁(5a)に形成され、かつ排気通路(2)および給気通路(3)に通じる２つの開口(12)と、第２ハウジング(9)の後壁(9a)に形成され、かつ排気通路(6)および給気通路(7)に通じる２つの開口(13)とに跨って着脱自在に嵌められている。
【００４９】
送風ユニット(1A)の第１ハウジング(5)および熱交換ユニット(1B)の第２ハウジング(9)は、それぞれ上下構成部材(5A)(5B)(9A)(9B)を、両者を上方から貫通した複数のボルト(14)と、ボルト(14)の下端部にねじ嵌められたナット(15)とにより相互に着脱自在に固定したものである（図４〜図７参照）。両ハウジング(5)(9)の上下構成部材(5A)(5B)(9A)(9B)の固定解除および固定は、ナット(15)をボルト(14)へ脱着することによって、それぞれ換気兼熱交換装置(1)の下方から行うことができるようになっている。また、両ハウジング(5)(9)の上下構成部材(5A)(5B)(9A)(9B)は、たとえば発泡倍率１０倍前後の硬質ポリウレタンフォームや発泡性ポリスチレンビーズなどで形成され、断熱性を有している。
【００５０】
送風ユニット(1A)の排気通路(2)および給気通路(3)は、第１ハウジング(5)内を前後方向に伸びる垂直仕切(16)により左右に仕切ることにより形成されたものである。垂直仕切(16)は、第１ハウジング(5)の上下構成部材(5A)(5B)のうちの少なくともいずれか一方、ここでは上構成部材(5A)の左右方向の中央部に一体に形成された長い仕切用壁部(17)により構成されている。なお、垂直仕切(16)は、下構成部材(5B)に一体に形成された仕切用壁部により構成されていてもよいし、あるいは上下構成部材(5A)(5B)にそれぞれ一体に形成された仕切用壁部どうしを突き合わせることにより構成されていてもよい。
【００５１】
第１ハウジング(5)の後壁(5b)の右側部分に、排気通路(2)内に通じる適宜形状、たとえば縦長円形の排気吸込用開口(18)が上下構成部材(5A)(5B)に跨るように形成され、同じく右側壁(5c)に、排気通路(2)内に通じる、排気吸込用開口(18)と同形、同大の排気吸込用予備開口(19)が、上下構成部材(5A)(5B)に跨るように形成されている。また、第１ハウジング(5)の後壁(5b)の左側部分に、給気通路(3)内に通じる適宜形状、たとえば縦長円形の給気吹出用開口(21)が上下構成部材(5A)(5B)に跨るように形成され、同じく左側壁(5d)に、給気通路(3)内に通じる、給気吹出用開口(21)と同形、同大の給気吹出用予備開口(22)が上下構成部材(5A)(5B)に跨るように形成されている。すなわち、これらの開口(18)(19)(21)(22)は、それぞれ上構成部材(5A)に形成された半円形切り欠き(23)と下構成部材(5B)に形成された半長円形切り欠き(24)とを対向させることにより形成されている（図３〜図５参照）。
【００５２】
なお、第１ハウジング(5)の前壁(5a)の２つの開口(12)は、排気吸込用開口(18)および給気吹出用開口(21)と同形、同大で、それぞれ上構成部材(5A)に形成された半円形切り欠き(23)と下構成部材(5B)に形成された半長円形切り欠き(24)とを対向させることにより形成されている。また、第２ハウジング(9)の後壁(9a)の２つの開口(13)も、排気吸込用開口(18)および給気吹出用開口(21)と同形、同大で、それぞれ上構成部材(5A)に形成された半円形切り欠き(23)と下構成部材(5B)に形成された半長円形切り欠き(24)とを対向させることにより形成されている。
【００５３】
第１ハウジング(5)の後壁(5b)における排気吸込用開口(18)の周縁部に、略漏斗状ダクト接続部材(25)における一端開口の周縁部が取り付けられ、同じく右側壁(5c)の排気吸込用予備開口(19)が適宜形状、ここでは縦長円形の板状閉鎖部材(26)により閉鎖されている。また、後壁(5b)における給気吹出用開口(21)の周縁部に、略漏斗状ダクト接続部材(25)における一端開口の周縁部が取り付けられ、同じく左側壁(5d)の給気吹出用予備開口(22)が板状閉鎖部材(26)により閉鎖されている。ダクト接続部材(25)の第１ハウジング(5)への取付側端部には縦長円形の外向きフランジ(25a)が一体に形成されている。外向きフランジ(25a)の下部と閉鎖部材(26)の下部とは同形、同大である。
【００５４】
図３〜図６に示すように、第１ハウジング(5)の後壁(5b)および左右両側壁(5d)(5c)外面における各開口(18)(19)(21)(22)の周囲の部分に、たとえば金属板からなる上下取付部材(27)(28)が、図示しない接着剤とボルトおよびナットにより固定されている。上取付部材(27)は適宜形状、ここでは半円形であり、上構成部材(5A)の外面における切り欠き(23)の周囲の部分に固定されている。下取付部材(28)は適宜形状、ここでは半長円形であり、下構成部材(5B)の外面における切り欠き(24)の周囲の部分に固定されている。上取付部材(27)には、周方向に間隔をおいて複数のめねじ穴(27a)が形成されている。下取付部材(28)の下部には、周方向に間隔をおいて内周縁側から２つのスリットが形成され、両スリット間の部分が外方にかつ上方に曲げられることにより、外方突出状の受け部(28a)と、受け部(28a)の外縁から立ち上がり状となった係合部(28b)とが一体に形成されている。そして、下取付部材(28)の受け部(28a)および係合部(28b)と下構成部材(5B)の周壁外面とにより、中央部が下方に突出した円弧状でかつダクト接続部材(25)の外向きフランジ(25a)の下部および閉鎖部材(26)の下部を嵌め入れる嵌入溝(29)が形成されている。
【００５５】
嵌入溝(29)の最下部において、下構成部材(5B)の周壁における切り欠き(24)内周面に臨む部分に、嵌入溝(29)内と第１ハウジング(5)内とを通じさせる凝縮水通路(31)が形成されている。また、下構成部材(5B)の底壁後端における凝縮水通路(31)と対応する位置には、凝縮水通路(31)を通って第１ハウジング(5)内に流入してきた凝縮水を溜める水溜め(32)が形成されている。下構成部材(5B)の底壁には、水溜め(32)を下構成部材(5B)の外部に通じさせる水抜き穴(33)が貫通状に形成されている。水抜き穴(33)の下端開口は着脱自在の蓋(34)で閉鎖されている。
【００５６】
ダクト接続部材(25)は、外向きフランジ(25a)の下部が嵌入溝(29)内に嵌め入れられるとともに、外向きフランジ(25a)上部を貫通したおねじ(35)を上取付部材(27)のめねじ穴(27a)にねじ嵌めることによって、第１ハウジング(5)に取り付けられている。ダクト接続部材(25)の外向きフランジ(25a)の下部に、その下縁から円弧状の切り欠き(25b)が形成され、外向きフランジ(25a)における切り欠き(25b)の両側部分が、下取付部材(28)の受け部(28a)の両端に係合するようになっている。また、閉鎖部材(26)は、その下部が嵌入溝(29)内に嵌め入れられるとともに、閉鎖部材(26)上部を貫通したおねじ(35)を上取付部材(27)のめねじ穴(27a)にねじ嵌めることによって、第１ハウジング(5)に取り付けられている。閉鎖部材(26)の下部に、その下縁から円弧状の切り欠き(26a)が形成され、閉鎖部材(26)における切り欠き(26a)の両側部分が、下取付部材(28)の受け部(28a)の両端に係合するようになっている。
【００５７】
なお、第１ハウジング(5)に形成された開口(18)(19)(21)(22)は、全て同形同大となされており、ダクト接続部材(25)および閉鎖部材(26)のいずれかを選択的に取り付けられるようになっている。すなわち、図２に鎖線で示すように、予備開口(19)(22)の周縁部にダクト接続部材(25)を上記と同様にして取り付け、同じく開口(18)(21)を上記と同様に第１ハウジング(5)に取り付けられた閉鎖部材(26)により閉鎖することができる。
【００５８】
各送風機(4A)(4B)は垂直軸回りに回転させられる羽根車(36)と、羽根車(36)の周囲を覆いかつ一側部に吐出口(38a)が形成された周壁(38)および羽根車(36)の上方を覆いかつ中央部に吸込口(39a)が形成された頂壁(39)を有するケーシング(37)とを備えているとともに、羽根車(36)の回転により吸込口(39a)からケーシング(37)内に吸い込まれた空気が吐出口(38a)から吐出されるようになされたものであり、所謂シロッコファンからなる。羽根車(36)は、モータ(41)の垂直モータ軸(41a)に取り付けられている。モータ(41)は、第１ハウジング(5)の下壁(5f)上面に形成された段付きのモータ収容用凹部(42)に収容されている。ケーシング(37)の下端部外周面は、羽根車(36)の回転中心軸線を中心とする短い円筒面(38b)となっている。また、周壁(38)の下端部を除いた部分の外周面における吐出口(38a)を含む所定部分は、羽根車(36)の回転中心軸線を中心とする凸状の部分円筒面(38c)となっている。ケーシング(37)の吐出口(38a)は、周壁(38)の一側部を下端から方形に切り欠くことにより形成されている。また、周壁(38)内面は、羽根車(36)の垂直軸からの距離が吐出口(38a)の一側縁部から同他側縁部に向かって次第に大きくなるものとなされている。周壁(38)内面の上記形状によって、ケーシング(37)内が、送風機(4A)(4B)の機能上必要とされる渦室を構成する。第１ハウジング(5)の上壁(5e)と送風機(4A)(4B)のケーシング(37)の頂壁(39)との間には、吸込口(39a)へ向かう給気を流通させるのに十分なスペースが確保されている。また、ケーシング(37)の周壁(38)の外周面における円筒面(38b)および部分円筒面(38c)を除いた部分は、周壁(38)内面に対応する形状、すなわち羽根車(36)の垂直軸からの距離が吐出口(38a)の一側縁に近い側から同他側縁に近い側に向かって次第に大きくなるような形状となっている。
【００５９】
排気通路(2)に設けられた排気用送風機(4A)のケーシング(37)は、吐出口(38a)を前方に向けた状態で第１ハウジング(5)に固定されている。一方、給気通路(3)に設けられた給気用送風機(4B)のケーシング(37)は、垂直軸周りに回動可能で可動式となっている。
【００６０】
給気用送風機(4B)の可動式のケーシング(37)は、第１ハウジング(5)の給気通路(3)内に次のようにして回動可能に配されている。すなわち、モータ収容用凹部(42)の内周面における上側径大部がケーシング(37)の円筒面(38b)と曲率の等しい凹状円筒面(42a)となっている。また、垂直仕切(16)の左側面と、第１ハウジング(5)の給気通路(3)内の左前隅部および左後隅部に上下壁(5e)(5f)に跨るように形成された上下方向に長い柱状部(43)に、ケーシング(37)の部分円筒面(38c)と曲率の等しいケーシング回動案内兼給気バイパス防止用凹状部分円筒面(44)が形成されている。そして、ケーシング(37)の円筒面(38b)がモータ収容用凹部(42)の円筒面(42a)に案内されるとともに、部分円筒面(38c)がケーシング回動案内兼給気バイパス防止用凹状部分円筒面(44)に案内されることにより、可動式のケーシング(37)が回転可能となっている。
【００６１】
第１ハウジング(5)の上壁(5e)における給気用送風機(4B)の上方部分に、送風機(4B)のケーシング(37)の頂壁(39)とほぼ同じ大きさの円形貫通穴(45)が貫通状に形成され、円形貫通穴(45)内に円形プレート(46)が回転自在に嵌め入れられている。円形貫通穴(45)の内周面および円形プレート(46)の外周面はそれぞれ段付きとなっており、円形プレート(46)の下側径小部(46a)が円形貫通穴(45)の下側径小部(45a)内に回動自在に嵌め入れられるとともに、上側径大部(46b)が円形貫通穴(45)の上側径大部(45b)内に回動自在に嵌め入れられている。そして、円形プレート(46)と給気用送風機(4B)のケーシング(37)とが連結手段によって連結され、円形プレート(46)を回動させることにより、給気用送風機(4B)のケーシング(37)の吐出口(38a)の向きを、給気吹出用開口(21)または給気吹出用予備開口(22)に合わせられるようになっている。
【００６２】
円形プレート(46)における径大部(46b)の外方突出部分の下面には、１つの突起(52)が形成されている。一方、第１ハウジング(5)の上壁(5e)の円形貫通穴(45)の周縁部に、給気用送風機(4B)のケーシング(37)の吐出口(38a)の向きが給気吹出用開口(21)または給気吹出用予備開口(22)のそれぞれに合う円形プレート(46)の回動位置において突起(52)と嵌合する２つの切り欠き(53)が形成されている。これらの突起(52)および切り欠き(53)により、給気用送風機(4B)のケーシング(37)を、吐出口(38a)の向きが給気吹出用開口(21)または給気吹出用予備開口(22)に合致した回動位置で、固定しておくことができる。なお、円形プレート(46)を回動させる際には、突起(52)が切り欠き(53)から外れるように、若干上方に持ち上げてから、回動操作を行う。
【００６３】
円形プレート(46)の上面には、給気用送風機(4B)のケーシング(37)の吐出口の向きを示す表示(54)が設けられている。この表示(54)は、ここでは円形プレート(46)の上面周縁部における吐出口(38a)の上方位置に刻印された外向きの矢印よりなる。
【００６４】
円形プレート(46)の上面の中央部には、半円形の２つの凹部が形成されることにより、２つの凹部間に回動用摘み部(55)が設けられている。
【００６５】
連結手段は、円形プレート(46)に形成された連結用垂下部(47)と、給気用送風機(4B)のケーシング(37)に形成されかつ垂下部(47)が嵌め入れられる上方開口穴(48a)を有する連結用立上り部(48)とよりなる。連結用立上り部(48)は、吐出口(38a)全体を含むように吐出口(38a)の周方向の片側から同他側にかけて形成されている。立上り部(48)外面は、周壁(38)の部分円筒面(38c)と連なった凸状の部分円筒面(48b)となっている。そして、給気用送風機(4B)のケーシング(37)の吐出口(38a)の向きを給気吹出用開口(21)または給気吹出用予備開口(22)に合わせた際、ケーシング(37)の周壁(38)外周面における部分円筒面(38c)および立上り部(48)外面における部分円筒面(48b)が、凹状部分円筒面(44)に重なるため、給気がケーシング(37)の外を通って給気吹出用開口(21)または給気吹出用予備開口(22)に流れ込むのが防止される。
【００６６】
排気通路(2)内に配置された排気用送風機(4A)は、給気用送風機(4B)と同一の構造を有しているので、詳しい説明は省略する。排気用送風機(4A)のケーシング(37)は、吐出口(38a)を前方に向けた状態で排気通路(2)に固定されている。ケーシング(37)の固定は、例えば、ケーシング(37)下端を第１ハウジング(5)の下壁(5f)上面に接着剤等を用いて接合することにより行われる。あるいは、ケーシング(37)下端に嵌合突起を形成しておき、この嵌合突起が嵌め入れられる嵌合凹部を第１ハウジング(5)の下壁(5f)上面に形成しておき、嵌合突起と嵌合凹部との嵌合によってケーシング(37)を固定するようにしてもよい。
【００６７】
第１ハウジング(5)の排気通路(2)内の右前隅部に、上下壁(5e)(5f)に跨るように上下方向に長い柱状部(51)が形成されている。垂直仕切(16)の右側面と柱状部(51)とに、ケーシング(37)の周壁(38)外周面における部分円筒面(38c)および立上り部(48)外面の部分円筒面(48b)に接する排気バイパス防止用凹状部分円筒面(50)が形成されている。これにより、排気吸込用開口(18)または排気吸込用予備開口(19)から排気通路(2)内に導入された排気が、ケーシング(37)の外を通って排気通路(2)の前部に流れ込むのが防止されている。
【００６８】
熱交換ユニット(1B)の第２ハウジング(9)の排気通路(6)および給気通路(7)は、第２ハウジング(9)内を前後方向に伸びる垂直仕切(56)により左右に仕切ることにより形成されている。垂直仕切(56)は、第２ハウジング(9)の上下構成部材(9A)(9B)に固定された垂直金属板(57)からなる。熱交換部(8)は、垂直金属板(57)を貫通した複数のヒートパイプ(58)からなる。排気通路(2)内および給気通路(3)内において、すべてのヒートパイプ(58)に跨るようにフィン(59)が取り付けられている。ヒートパイプ(58)は、排気通路(6)を前向きに流れる排気と、排気に対して温度差を有しかつ給気通路(7)を後向きに流れる給気との間で熱交換を行うようになっている。
【００６９】
第２ハウジング(9)の前壁(9b)の右側部分に、排気通路(6)内に通じる適宜形状、ここでは縦長円形の排気吹出用開口(61)が上下構成部材(9A)(9B)に跨るように形成され、同じく前壁(9b)の左側部分に、給気通路(6)内に通じる適宜形状、ここでは縦長円形の給気吸込用開口(62)が上下構成部材(9A)(9B)に跨るように形成されている。排気吹出用開口(61)および給気吸込用開口(62)は、第１ハウジング(5)の排気吸込用開口(18)および給気吹出用開口(21)と同形、同大で同じ構成である。第２ハウジング(9)の前壁(9b)の排気吹出用開口(61)の周縁部に略漏斗状ダクト接続部材(25)の一端開口の周縁部が取り付けられ、同じく前壁(9b)の給気吸込用開口(62)の周縁部に略漏斗状ダクト接続部材(25)の一端開口の周縁部が取り付けられている。これらのダクト接続部材(25)は、送風ユニット(1A)の第１ハウジング(5)に取り付けられているダクト接続部材(25)と同様にして、第２ハウジング(9)に取り付けられている。
【００７０】
図５、図７および図８に示すように、熱交換ユニット(1B)における第２ハウジング(9)の前壁(9b)後面における給気吸込用開口(62)の上側部分、すなわち上構成部材(9A)の切り欠き(23)の上側部分に、給気吸込用開口(62)から吸い込まれる外気の温度に応じて給気用送風機(4B)をオン、オフするスイッチ内蔵温度センサ(70)が取り付けられている。また、送風ユニット(1A)における第１ハウジング(5)の下構成部材(5B)におけるモータ収容用凹部(42)の下側小径部内に接続端子(71)が配置されている。接続端子(71)は、モータ収容用凹部(42)の下側小径部底壁を貫通した配線により電源(72)に接続されており、接続端子(71)と電源(72)との間には電源スイッチ(73)が設けられている（図９参照）。電源スイッチ(73)は、換気兼熱交換装置(1)が設置される家屋の室内に設置される。スイッチ内蔵温度センサ(70)からの配線(74)と、接続端子(71)からの配線(75)は、１対のコネクタ(76)(77)を介して着脱自在に接続されている。接続端子(71)に、排気用送風機(4A)および給気用送風機(4B)も接続されている。図９に示すように、電源スイッチ(73)を閉じるとともにコネクタ(76)(77)どうしを接続すると、第１回路(78)により排気用送風機(4A)が電源(72)に対して直列に接続され、同じく第１回路(78)とは並列となった第２回路(79)により給気用送風機(4B)およびスイッチ内蔵温度センサ(70)が電源(72)に対して直列に接続される。
【００７１】
熱交換ユニット(1B)の第２ハウジング(9)の上壁(9c)および後壁(9a)における開口(13)よりも上側の部分において、上構成部材(9A)の内面に配線嵌入溝(80)が形成されており、スイッチ内蔵温度センサ(70)からの配線(74)は配線嵌入溝(80)内に嵌め入れられている。配線(74)先端のコネクタ(76)は開口(13)内に来るようになっている。また、送風ユニット(1A)の第１ハウジング(5)のモータ収容用凹部(42)の段部、当該凹部(42)の径大部内周面、下壁(5f)および前壁(5a)において、下構成部材(5B)の内面に配線嵌入溝(81)が形成されており、接続端子(71)からの配線(75)は配線嵌入溝(81)内に嵌め入れられている。配線(75)先端のコネクタ(77)は開口(12)内に来るようになっている。これらの配線の長さには遊びが設けられており、コネクタ(76)を開口(13)の高さ方向の中央部よりも下方まで来させるとともに、コネクタ(77)を開口(12)の高さ方向の中央部よりも上方まで来させることが可能になっている。
【００７２】
上記の換気兼熱交換装置(1)は、通常、寒冷地に建てられた家屋の屋根裏に設置される。換気兼熱交換装置(1)にダクト(65)(66)を接続して配管作業を行う場合には、装置(1)の設置箇所周辺の状況に合わせて、第１ハウジング(5)の排気吸込用開口(18)および排気吸込用予備開口(19)のうちから適当な一方の開口を選択して、当該開口の周縁部にダクト接続部材(25)を取り付け、同じく他方の開口を閉鎖部材(26)により閉鎖する。また、第１ハウジング(5)の給気吹出用開口(21)および給気吹出用予備開口(22)のうちから適当な一方の開口を選択して、当該開口の周縁部にダクト接続部材(25)を取り付け、同じく他方の開口を閉鎖部材(26)により閉鎖する。さらに、給気用送風機(4B)のケーシング(37)における吐出口(38a)の向きを、ダクト接続部材(25)が取り付けられる開口に合わせる必要があるが、そのために必要な操作は、前記の通り、ハウジング(2)の外から円形プレート(46)を回動させるだけでよく、極めて簡単である。各ダクト接続部材(25)にダクト(65)(66)が接続され、ダクト(65)(66)およびダクト接続部材(25)の周囲が断熱材(67)で覆われる。そして、熱交換部(8)のヒートパイプ(58)により、排気通路(2)(6)内を前向きに流れる室内からの排気と、排気に対して温度差を有しかつ給気通路(3)(7)内を後向きに流れる屋外からの給気との間で熱交換が行われるようになっている。
【００７３】
第１ハウジング(5)の排気吸込用開口(18)に取り付けられたダクト接続部材(25)に接続されたダクト(65)の排気吸込口は、好ましくは、トイレおよび浴室に設けられる。寒冷地に立てられた家屋は、気密性が高く、特に冬季には、除湿を行って、結露を防止する必要がある。そこで、室内でも特に湿度が高いトイレや浴室から室内空気を排出させれば、室内の除湿を効率的に行うことができる。また、トイレについては、臭気の除去効果も併せて得られるメリットがある。一方、第１ハウジング(5)の給気吹出用開口(21)に取り付けられたダクト接続部材(25)に接続されたダクト(66)の給気吹出口は、通常、押し入れに設けられる。上記装置(1)によって室内に導入される屋内空気は、ヒートパイプ(58)を介して室内空気から熱を受けとるものの、室内空気と比べると低温である。したがって、押し入れのような居住者に直接風が当たらない箇所から屋外空気を吹き出させれば、居住者に不快感を与えるおそれがない。
【００７４】
この排気兼熱交換装置(1)において、冬期など外気温が設定温度よりも低い場合には、電源スイッチ(73)を閉じると、両送風機(4A)(4B)が作動して第１種換気が行われ、両排気通路(2)(6)を通って屋内の空気が屋外に排出されるとともに、両給気通路(7)(3)を通って屋外の空気が屋内に取り入れられる。そして、暖かい排気と冷たい給気とが熱交換部(8)において熱交換し、給気が暖められた後屋内に取り入れられる。一方夏期などの外気温が設定温度以上の場合には、スイッチ内蔵温度センサ(70)が動作して給気用送風機(4B)が停止させられ、第３種換気に切り換えられて両排気通路(2)(6)を通って屋内の空気のみが排出される。
【００７５】
なお、第１種換気時に、室内からの排気が第１ハウジング(5)内に流入する前に凝縮水が発生した場合、この凝縮水は、ダクト接続部材(25)の内面および外向きフランジ(25a)を伝って嵌入溝(29)内に入り、嵌入溝(29)内をその最下部側に流れ、さらに凝縮水通路(31)を通って第１ハウジング(5)内に流れ込み、水溜め(32)内に溜められる。水溜め(32)に溜められた凝縮水は、蓋(34)を取り外すことにより、水抜き穴(33)を通って第１ハウジング(5)外へ排出される。
【００７６】
換気兼熱交換装置(1)を家屋に設置した後、送風機(4)のメンテナンスを行う場合、図６および図７に示すように、ボルト(14)からナット(15)を取り外して第１ハウジング(5)の上下構成部材(5A)(5B)の固定を解除し、下構成部材(5B)を下方に降ろすとともに、コネクタ(76)(77)どうしの接続を解除する。このとき、ダクト接続部材(25)の外向きフランジ(25a)の下部および閉鎖部材(26)の下部が嵌入溝(29)から抜け、下構成部材(5B)の取り外しはスムーズに行われる。また、ダクト接続部材(25)の外向きフランジ(25a)の上部および閉鎖部材(26)の上部は上構成部材(5A)にねじ止めされており、所定の位置に保持されたままである。送風機(4)のメンテナンスが終了した後は、下構成部材(5B)を下方から持ち上げるとともに両コネクタ(76)(77)を接続した後、ダクト接続部材(25)の外向きフランジ(25a)の下部を嵌入溝(29)内に嵌め入れ、ついでボルト(14)およびナット(15)により上下構成部材(5A)(5B)を固定する。なお、熱交換部(8)のメンテナンスを行う必要が生じた場合には、上記と同様にして、第２ハウジング(9)の下構成部材(9B)を取り外して行うことができる。
【００７７】
上記実施形態においては、送風ユニット(1A)が熱交換ユニット(1B)の後側に来るように両ユニット(1A)(1B)接続されているが、これとは逆に、熱交換ユニット(1B)が後側に来るように両ユニット(1A)(1B)接続されていてもよい。この場合、第２ハウジング(9)の排気吹出用開口(61)が排気吸込用開口となり、同じく給気吸込用開口(62)が給気吹出用開口となる。また、第１ハウジング(5)の排気吸込用開口(18)が排気吹出用開口となるとともに、排気吸込用予備開口(19)が排気吹出用予備開口となり、同じく給気吹出用開口(21)が給気吸込用開口となるとともに、給気吹出用予備開口(22)が給気吸込用予備開口となる。さらに、第１ハウジング(5)の給気通路(3)内の給気用送風機(4B)の吐出口(38a)が熱交換部(8)に向けられ、排気通路(2)の排気用送風機(4A)のケーシング(37)が垂直軸線周りに回動可能な可動式となされる。
【図面の簡単な説明】
【００７８】
【図１】この発明による換気兼熱交換装置を示す斜視図である。
【図２】同じく水平断面図である。
【図３】第１ハウジングの排気通路部分の垂直断面図である。
【図４】第１ハウジングの上構成部材を示す分解斜視図である。
【図５】第１ハウジングの下構成部材を示す分解斜視図である。
【図６】第１ハウジングの下構成部材の取り外し方を示す部分拡大斜視図である。
【図７】第１ハウジングの下構成部材を取り外した状態を示す側面図である。
【図８】第２ハウジングの上構成部材を下側から見た斜視図である。
【図９】換気兼熱交換装置の電気的構成を示す回路図である。
【符号の説明】
【００７９】
(1)：換気兼熱交換装置
(1A)：送風ユニット
(1B)：熱交換ユニット
(2)：排気通路
(3)：給気通路
(4A)：排気用送風機
(4B)：給気用送風機
(5)：第１ハウジング
(5A)：上構成部材
(5B)：下構成部材
(6)：排気通路
(7)：給気通路
(8)：熱交換部
(9)：第２ハウジング
(9A)：上構成部材
(9B)：下構成部材
(18)：排気吸込用開口
(19)：排気吸込用予備開口
(21)：給気吹出用開口
(22)：給気吹出用予備開口
(25)：ダクト接続部材
(25a)：外向きフランジ
(26)：閉鎖部材
(28)：下取付部材
(28a)：取付部
(28b)：受け部
(28c)：係合部
(29)：嵌入溝
(31)：凝縮水通路
(36)：羽根車
(37)：ケーシング
(38)：周壁
(38a)：吐出口
(38c)：部分円筒面
(39)：頂壁
(39a)：吸込口
(44)：ケーシング回動案内兼空気バイパス防止用凹状部分円筒面
(45)：円形貫通穴
(46)：円形プレート
(46a)：下側径小部
(46b)：上側径大部
(47)：連結用垂下部
(48)：連結用立上り部
(48a)：上方開口穴
(48b)：部分円筒面
(52)：突起
(53)：切り欠き
(55)：回動用摘み部
(58)：ヒートパイプ
(65)(66)：ダクト
(70)：スイッチ内蔵温度センサ
(71)：接続端子
(74)(75)：配線
(76)(77)：コネクタ
(80)(81)：配線嵌入溝
【図１】
2005003345.tif 000003
【図２】
2005003345.tif 000004
【図３】
2005003345.tif 000005
【図４】
2005003345.tif 000006
【図５】
2005003345.tif 000007
【図６】
2005003345.tif 000008
【図７】
2005003345.tif 000009
【図８】
2005003345.tif 000010
【図９】
2005003345.tif 000011